【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
人又は動物体の血管内への挿入用のステント構造体（２）を備えたデバイスであって、前記ステント構造体（２）は、血管の内壁と接触する拡張状態と、マイクロカテーテル内に位置するステント構造体を血管内で移動させることができる収縮状態とをとり、前記ステント構造体（２）は、その近位端でデリバリー補助手段（３）と接続しており、該デバイス（１）は血管痙縮の治療に用いることができる、デバイス。
【請求項２】
前記ステント構造体（２）は、相互連結した個々の支柱、又はメッシュ構造を形成する個々のワイヤからなる、請求項１に記載のデバイス。
【請求項３】
前記ステント構造体（２）は、自己拡張型デザインであり、マイクロカテーテルから解放されるとすぐにその拡張状態を自動的にとる、請求項１又は２に記載のデバイス。
【請求項４】
前記ステント構造体（２）は、個々の支柱又はワイヤの間に位置する開口部を備え、該開口部は、拡張状態で０．１と６ｍｍとの間の範囲の内接円径を有する、請求項２又は３に記載のデバイス。
【請求項５】
前記支柱又はワイヤは、本質的に長方形断面の場合３０μｍと３００μｍとの間の高さ及び幅を有し、円形断面の場合３０μｍと３００μｍとの間の範囲の直径を有する、請求項２から４のいずれか１項に記載のデバイス。
【請求項６】
ステント構造体（２）の中心に、近位端及び／又は遠位端において支柱又はワイヤが配置されていない、請求項２から５のいずれか１項に記載のデバイス。
【請求項７】
ステント構造体（２）の中心に、近位端及び／又は遠位端において支柱又はワイヤが配置されている、請求項２から５のいずれか１項に記載のデバイス。
【請求項８】
前記ステント構造体（２）の内側に抗血栓形成性コーティングが施されている、請求項１から７のいずれか１項に記載のデバイス。
【請求項９】
前記ステント構造体（２）の外側に血管弛緩を促進するコーティングが施されている、請求項１から８のいずれか１項に記載のデバイス。
【請求項１０】
前記ステント構造体（２）は、全体又は部分的に、Ｘ線不透過コーティングを備える、請求項１から９のいずれか１項に記載のデバイス。
【請求項１１】
拡張したステント構造体（２）が半径方向外側に及ぼす力は、合計２と１６Ｎ／ｍとの間である、請求項１から１０のいずれか１項に記載のデバイス。
【請求項１２】
拡張したステント構造体（２）が半径方向外側に及ぼす力は、合計５と８Ｎ／ｍとの間である、請求項１１に記載のデバイス。
【請求項１３】
前記ステント構造体（２）は、近位セクション（７）、中央セクション（８）、及び遠位セクション（９）を有し、前記近位セクション（７）は、前記ステント構造体（２）がデリバリー補助手段（３）に接続する近位端を包含し、拡張したステント構造体（２）が、前記近位端を除いて、その全長にわたり本質的に一定の半径方向力を及ぼす、請求項１から１２のいずれか１項に記載のデバイス。
【請求項１４】
前記近位セクション（７）及び遠位セクション（９）における支柱又はワイヤは、中央セクション（８）におけるよりも大きな断面を有する、請求項１３に記載のデバイス。
【請求項１５】
前記近位セクション（７）及び遠位セクション（９）における支柱又はワイヤの密度は、中央セクション（８）におけるよりも高い、請求項１３又は１４に記載のデバイス。
【請求項１６】
血管痙縮の治療に使用するためのデバイスであって、前記ステント構造体（２）が、デリバリー補助手段（３）によって、血管痙縮が生じている部位に移動され、そこで拡張し、１〜１０分間その部位に放置され、最後に血管から取り除かれる、請求項１から１５のいずれか１項に記載のデバイス。
【手続補正２】
【補正対象書類名】明細書
【補正対象項目名】００５１
【補正方法】変更
【補正の内容】
【００５１】
図５では、本発明のステント構造体２の好ましい実施形態を側面図として最後に例示し、ステント構造体２は、近位セクション７、中央セクション８、及び遠位セクション９で構成されている。図は、有効長さ５に限定して示されており、近位端もデリバリー補助手段も示されていない。図１に示されるもの以外で、これはメッシュ構造を形成する個々のワイヤからなるステント構造体２である。図２に示す有効長さ５全体にわたる半径方向力の均一性を達成するために、メッシュ構造の密度は、中央セクション８と比較して、近位セクション７及び遠位セクション９の両方において高められている。それによって、均一に作られたステント構造体２で頻繁に見られる近位及び遠位領域における半径方向力の低下が、より高い密度のワイヤ配置を提供することによって補われる。
最後に、本発明の好ましい実施態様を項分け記載する。
［実施態様１］
人又は動物体の血管内への挿入用のステント構造体（２）を備えたデバイスであって、前記ステント構造体（２）は、血管の内壁と接触する拡張状態と、マイクロカテーテル内に位置するステント構造体を血管内で移動させることができる収縮状態とをとり、前記ステント構造体（２）は、好ましくはその近位端でデリバリー補助手段（３）と接続しており、該デバイス（１）は血管痙縮の治療に用いることができる、デバイス。
［実施形態２］
前記ステント構造体（２）は、個々の相互連結した支柱、又はメッシュ構造を形成する個々のワイヤからなる、実施形態１に記載のデバイス。
［実施形態３］
前記ステント構造体（２）は、自己拡張型デザインであり、マイクロカテーテルから解放されるとすぐにその拡張状態を自動的にとる、実施形態１又は２に記載のデバイス。
［実施形態４］
前記ステント構造体（２）は、個々の支柱又はワイヤの間に位置する開口部を備え、該開口部は、拡張状態で０．１と６ｍｍとの間の範囲の内接円径を有する、実施形態２又は３に記載のデバイス。
［実施形態５］
前記支柱又はワイヤは、本質的に長方形断面の場合３０μｍと３００μｍとの間の高さ及び幅を有し、円形断面の場合３０μｍと３００μｍとの間の範囲の直径を有する、実施形態２から４のいずれかに記載のデバイス。
［実施形態６］
ステント構造体（２）の中心に、近位端及び／又は遠位端において支柱又はワイヤが配置されていない、実施形態２から５のいずれかに記載のデバイス。
［実施形態７］
ステント構造体（２）の中心に、近位端及び／又は遠位端において支柱又はワイヤが配置されている、実施形態２から６のいずれかに記載のデバイス。
［実施形態８］
前記ステント構造体（２）の内側に抗血栓形成性コーティングが施されている、実施形態１から７のいずれかに記載のデバイス。
［実施形態９］
前記ステント構造体（２）の外側に血管弛緩を促進するコーティングが施されている、実施形態１から８のいずれかに記載のデバイス。
［実施形態１０］
前記ステント構造体（２）は、全体又は部分的に、Ｘ線不透過コーティング、特に金コーティングを備える、実施形態１から９のいずれかに記載のデバイス。
［実施形態１１］
拡張したステント構造体（２）が半径方向外側に及ぼす力は、合計２と１６Ｎ／ｍとの間、好ましくは５と８Ｎ／ｍとの間である、実施形態１から１０のいずれかに記載のデバイス。
［実施形態１２］
前記ステント構造体（２）は、近位セクション（７）、中央セクション（８）、及び遠位セクション（９）を有し、前記近位セクション（７）は、前記ステント構造体（２）がデリバリー補助手段（３）に接続する近位端を包含し、拡張したステント構造体（２）が、前記近位端を除いて、その全長にわたり本質的に一定の半径方向力を及ぼす、実施形態１から１１のいずれかに記載のデバイス。
［実施形態１３］
前記近位セクション（７）及び遠位セクション（９）における支柱又はワイヤは、中央セクション（８）におけるよりも大きな断面を有する、実施形態１２に記載のデバイス。
［実施形態１４］
前記近位セクション（７）及び遠位セクション（９）における支柱又はワイヤの密度は、中央セクション（８）におけるよりも高い、実施形態１２又は１３に記載のデバイス。
［実施形態１５］
血管痙縮を治療する方法であって、実施形態１から１４のいずれかに記載のデバイス（１）のステント構造体（２）が、デリバリー補助手段（３）によって、血管痙縮が生じている部位に移動され、そこで拡張し、１〜１０分間その部位に放置され、最後に血管から取り除かれる、方法。
［実施形態１６］
前記デバイス（１）による血管痙縮の治療が連続して数日繰り返される、実施形態１５に記載の方法。